【手続補正書】
【提出日】令和3年1月5日(2021.1.5)
【手続補正１】
【補正対象書類名】明細書
【補正対象項目名】００１６
【補正方法】変更
【補正の内容】
【００１６】
【図１】図１は本願の実施例に係るネットワークアーキテクチャの模式図である。
【図２】図２は本願の実施例に係るデータ処理方法の模式的なフローチャートである。
【図３】図３は本願の実施例に係るＭＡＣ  ＰＤＵの全体構造模式図である。
【図４】図４は本願の実施例に係るユーザー装置の構造模式図である。
【図５】図５は本願の実施例に係るネットワークノードの構造模式図である。
【図６】図６は本願の実施例に係る別のユーザー装置の構造模式図である。
【図７】図７は本願の実施例に係る別のネットワークノードの構造模式図である。
【図８】図８は本願の実施例に係る別のユーザー装置の構造模式図である。
【手続補正２】
【補正対象書類名】明細書
【補正対象項目名】００３２
【補正方法】変更
【補正の内容】
【００３２】
具体的に、ＭＡＣ  ＰＤＵの全体構造は図３に示すとおり、１つのＭＡＣ  ＰＤＵがＭＡＣヘッダー（ＭＡＣ  ｈｅａｄｅｒ）及びＭＡＣペイロード（ＭＡＣ  ｐａｙｌｏａｄ）からなる。ＭＡＣペイロードがＭＡＣサブサービスデータユニット（ＭＡＣ  ｓｕｂ−ＰＤＵ）、ＭＡＣ  ＣＥ及び選択可能なパディングビット（ｐａｄｄｉｎｇ）からなる。ＭＡＣヘッダー、ＭＡＣ  ｓｕｂ−ＰＤＵ及びＭＡＣ  ＣＥがＭＡＣ  ＰＤＵ全体にいっぱいにパディングできない場合、ＭＡＣ  ＰＤＵにおける残りのビットはパディングビット（ｐａｄｄｉｎｇ  ｂｉｔ）でパディングされる必要がある。ＭＡＣ  ＣＥは様々なタイプがあり、様々なＭＡＣ層の制御情報、例えば電力ヘッドルーム報告（Ｐｏｗｅｒ  Ｈｅａｄｒｏｏｍ  Ｒｅｐｏｒｔ）のためのＭＡＣ  ＣＥ、バッファ状態報告（Ｂｕｆｆｅｒ  Ｓｔａｔｕｓ  Ｒｅｐｏｒｔ）のためのＭＡＣ  ＣＥ、タイミングアドバンスコマンド（Ｔｉｍｉｎｇ  Ａｄｖａｎｃｅ  Ｃｏｍｍａｎｄ）を送信するためのＭＡＣ  ＣＥを伝送することに用いられる。
【手続補正３】
【補正対象書類名】明細書
【補正対象項目名】００３３
【補正方法】変更
【補正の内容】
【００３３】
本願におけるＭＡＣ  ＣＥはユーザー装置のデータ複製伝送機能を制御することに用いられる。第１ネットワークノードがユーザー装置へＭＡＣ  ＣＥを送信するやり方は、第１ネットワークノードにはユーザー装置へ送信するデータがある場合、第１ネットワークノードのＰＤＣＰ層が送信すべきデータをＰＤＣＰ  ＰＤＵにカプセル化し、次にカプセル化後のＰＤＣＰ  ＰＤＵをＲＬＣ層に送信し、次にＲＬＣ層がＲＬＣ  ＰＤＵをＭＡＣ層に送信し、ＭＡＣ層が送信すべき制御情報をＭＡＣ  ＣＥに含ませてＲＬＣ層の送信したデータとともにＭＡＣ  ＰＤＵにカプセル化し、次に第１ネットワークノードのＭＡＣ層がカプセル化後のＭＡＣ  ＰＤＵをインターフェースを介してユーザー装置に送信することである。
【手続補正４】
【補正対象書類名】明細書
【補正対象項目名】００４０
【補正方法】変更
【補正の内容】
【００４０】
該問題に対して、一実施例において、本願の具体的なやり方は、ＭＡＣ  ＣＥが制御情報を含み、ＭＡＣ  ＣＥが１つのｂｉｔｍａｐを含み、該ｂｉｔｍａｐが１ｂｙｔｅであり、制御情報が少なくとも１つのビットを含むことであり、前記ユーザー装置が前記第１ネットワークノードの制御情報及び設定ルールに基づいて前記ユーザー装置のデータ複製動作を決定する具体的な実施形態は、
前記ユーザー装置がビットｉの値を決定し、前記ビットｉが前記ユーザー装置の決定した第２ネットワークノードからの制御情報に含まれる少なくとも１つのビットのうちの１つであり、
前記ユーザー装置が前記ビットｉの値、ビットｊの値及び設定されたマッピング関係に基づいて前記ユーザー装置のデータ複製動作を決定し、前記ビットｊが前記第１ネットワークノードの制御情報に含まれる少なくとも１つのビットのうちの１つであり、前記ビットｉ及び前記ビットｊは、前記ビットｉ及び前記ビットｊの制御情報における位置が同じであること、前記ビットｉ及び前記ビットｊの制御情報における位置が異なること、前記ビットｉ及び前記ビットｊが同じデータベアラに対応することのうちの少なくとも１つを満足することである。
【手続補正５】
【補正対象書類名】明細書
【補正対象項目名】００４６
【補正方法】変更
【補正の内容】
【００４６】
例えば、第１ネットワークノードの制御情報が８つのビットを含むと仮定する。更に、第１ネットワークノードの制御情報のこの８つのビットがｘｘ００１１０１であると仮定する。更に、第１ビットがユーザー装置のｂｅａｒｅｒ  ＩＤ  ０に対応し、第２ビットがユーザー装置のｂｅａｒｅｒ  ＩＤ  ２に対応し、第３ビットがユーザー装置のｂｅａｒｅｒ  ＩＤ  ３に対応し、第４ビットがユーザー装置のｂｅａｒｅｒ  ＩＤ  ７に対応し、第５ビットがユーザー装置のｂｅａｒｅｒ  ＩＤ  ８に対応し、第６ビットがユーザー装置のｂｅａｒｅｒ  ＩＤ  １０に対応し、第７ビット及び第８ビットが無効ビットであると仮定する。更に、ユーザー装置が既に第２ネットワークノードのｂｅａｒｅｒ  ＩＤ  ０、ｂｅａｒｅｒ  ＩＤ  ２、ｂｅａｒｅｒ  ＩＤ  ７及びｂｅａｒｅｒ  ＩＤ  ８に対する制御情報を把握したと仮定する場合、ユーザー装置は第２ネットワークノードのｂｅａｒｅｒ  ＩＤ  ３及びｂｅａｒｅｒ  ＩＤ  １０に対する制御情報のみを把握していない。この時、ユーザー装置は第２ネットワークノードからの制御情報に含まれるビットのうちのｂｅａｒｅｒ  ＩＤ  ３及びｂｅａｒｅｒ  ＩＤ  １０に対応するビットの値を決定し、例えば、ユーザー装置はｂｅａｒｅｒ  ＩＤ  ３に対応するビットの値が１であると決定する場合、ユーザー装置は表１に基づいてユーザー装置のｂｅａｒｅｒ  ＩＤ  ３に対する動作がデータ複製動作であることを把握でき、ユーザー装置はｂｅａｒｅｒ  ＩＤ  １０に対応するビットの値が０であると決定する場合、ユーザー装置は表１に基づいてユーザー装置のｂｅａｒｅｒ  ＩＤ  １０に対する動作がデータ非複製動作であることを把握できる。
【手続補正６】
【補正対象書類名】明細書
【補正対象項目名】００４７
【補正方法】変更
【補正の内容】
【００４７】
更に、例えば、ユーザー装置は第１ネットワークノードから送信されたＭＡＣ  ＣＥを受信したが、第２ネットワークノードから送信されたＭＡＣ  ＣＥを受信しておらず、第１ネットワークノードから送信されたＭＡＣ  ＣＥが１ｂｙｔｅ情報を含み、この１ｂｙｔｅ情報がｘｘ００１１０１であると仮定する。各ビットが１つのデータベアラに対応し、第１ビットがユーザー装置のｂｅａｒｅｒ  ＩＤ  ０に対応し、第２ビットがユーザー装置のｂｅａｒｅｒ  ＩＤ  ２に対応し、第３ビットがユーザー装置のｂｅａｒｅｒ  ＩＤ  ３に対応し、第４ビットがユーザー装置のｂｅａｒｅｒ  ＩＤ  ７に対応し、第５ビットがユーザー装置のｂｅａｒｅｒ  ＩＤ  ８に対応し、第６ビットがユーザー装置のｂｅａｒｅｒ  ＩＤ  １０に対応し、第７ビット及び第８ビットが無効ビットであると仮定する。ｂｅａｒｅｒ  ＩＤ  ０のデータベアラについては、ユーザー装置は第２ネットワークノードからのＭＡＣ  ＣＥに含まれる１ｂｙｔｅ情報におけるｂｅａｒｅｒ  ＩＤ  ０に対するビットの値が１であると決定する。表１におけるＯｐｅｒａｔｉｏｎ１、Ｏｐｅｒａｔｉｏｎ２及びＯｐｅｒａｔｉｏｎ３がいずれもデータ複製動作であり、Ｏｐｅｒａｔｉｏｎ４がデータ非複製動作であると仮定する。そうするとユーザー装置は表１、第１ネットワークノードから送信されたＭＡＣ  ＣＥ及びユーザー装置の決定したｂｅａｒｅｒ  ＩＤ  ０に対するビットの値に基づき、ｂｅａｒｅｒ  ＩＤ  ０に対するデータ複製動作がデータ複製であることを把握できる。ユーザー装置は他のデータベアラのデータ複製動作のやり方がｂｅａｒｅｒ  ＩＤ  ０のやり方と同様であると決定し、ここで詳細な説明は省略する。
【手続補正７】
【補正対象書類名】明細書
【補正対象項目名】００４８
【補正方法】変更
【補正の内容】
【００４８】
以上によれば、本願では、デュアルコネクティビティの場合には、ユーザー装置が１つのみのネットワークノードのＭＡＣ  ＣＥを受信した場合、ユーザー装置は他方のネットワークノードから送信されたＭＡＣ  ＣＥに含まれるビットの値を決定し、次にユーザー装置は受信された１つのネットワークノードのＭＡＣ  ＣＥに含まれるビットの値、決定した他方のネットワークノードのＭＡＣ  ＣＥに含まれるビットの値及び予め設定された１つのマッピング関係に基づいてユーザー装置のデータ複製動作を共通に定義し、このように、１つのみのネットワークノードのＭＡＣ  ＣＥを受信した場合、ユーザー装置がデータ複製動作を決定できない状況を回避することができる。
【手続補正８】
【補正対象書類名】明細書
【補正対象項目名】００４９
【補正方法】変更
【補正の内容】
【００４９】
一実施例において、前記ビットｉの値が前記ビットｊの値に基づいて決定したものである。
【手続補正９】
【補正対象書類名】明細書
【補正対象項目名】００５０
【補正方法】変更
【補正の内容】
【００５０】
具体的に、ビットｊの値が１であると決定すれば、ユーザー装置はビットｉの値が１であると決定し、又は、ビットｊの値が０であると決定すれば、ユーザー装置はビットｉの値が０であると決定する。又は、ビットｊの値が１であると決定すれば、ユーザー装置はビットｉの値が０であると決定し、又は、ビットｊの値が０であると決定すれば、ユーザー装置はビットｉの値が１であると決定する。
【手続補正１０】
【補正対象書類名】明細書
【補正対象項目名】００５１
【補正方法】変更
【補正の内容】
【００５１】
一実施例において、前記ビットｉの値がＲＲＣシグナリングのデータ複製初期状態に対する設定に基づいて決定したものである。
【手続補正１１】
【補正対象書類名】明細書
【補正対象項目名】００５２
【補正方法】変更
【補正の内容】
【００５２】
具体的に、ＲＲＣシグナリングのデータ複製初期状態に対する設定がデアクティベートであれば、ユーザー装置はビットｉの値が０であると決定する。更に、ＲＲＣシグナリングのデータ複製初期状態に対する設定がアクティベートであれば、ユーザー装置はビットｉの値が１であると決定する等が挙げられる。
【手続補正１２】
【補正対象書類名】明細書
【補正対象項目名】００５４
【補正方法】変更
【補正の内容】
【００５４】
ビットｘ及びビットｙの制御情報における位置が同じであるかどうかについての具体的な実現方式は、上記ビットｉ及びビットｊの制御情報における位置が同じであるかどうかについての実現方式を参照してもよく、ここで詳細な説明は省略する。
【手続補正１３】
【補正対象書類名】明細書
【補正対象項目名】００５８
【補正方法】変更
【補正の内容】
【００５８】
図４を参照して、図４は本願の実施例に係るユーザー装置を示す図であり、該装置は１つ又は複数のプロセッサ、１つ又は複数のメモリ、１つ又は複数の送受信機及び１つ又は複数のプログラムを備え、
前記１つ又は複数のプログラムは前記メモリに記憶され、且つ前記１つ又は複数のプロセッサにより実行されるように構成され、
前記プログラムは、
第１ネットワークノードからの制御情報を受信し、
前記第１ネットワークノードの制御情報及び設定ルールに基づいて前記ユーザー装置のデータ複製動作を決定するステップを実行するための命令を含む。
【手続補正１４】
【補正対象書類名】明細書
【補正対象項目名】００５９
【補正方法】変更
【補正の内容】
【００５９】
一実施例において、制御情報が少なくとも１つのビットを含み、前記第１ネットワークノードの制御情報及び設定ルールに基づいて前記ユーザー装置のデータ複製動作を決定する方面では、前記プログラムは、具体的に、
ビットｉの値を決定し、前記ビットｉが前記ユーザー装置の決定した第２ネットワークノードからの制御情報に含まれる少なくとも１つのビットのうちの１つであり、
前記ビットｉの値、ビットｊの値及び設定されたマッピング関係に基づいて前記ユーザー装置のデータ複製動作を決定し、前記ビットｊが前記第１ネットワークノードの制御情報に含まれる少なくとも１つのビットのうちの１つであり、前記ビットｉ及び前記ビットｊは、前記ビットｉ及び前記ビットｊの制御情報における位置が同じであること、前記ビットｉ及び前記ビットｊの制御情報における位置が異なること、前記ビットｉ及び前記ビットｊが同じデータベアラに対応することのうちの少なくとも１つを満足するステップを実行するための命令を含む。
【手続補正１５】
【補正対象書類名】明細書
【補正対象項目名】００６０
【補正方法】変更
【補正の内容】
【００６０】
一実施例において、前記ビットｉの値が前記ビットｊの値に基づいて決定したものである。
【手続補正１６】
【補正対象書類名】明細書
【補正対象項目名】００６１
【補正方法】変更
【補正の内容】
【００６１】
一実施例において、前記ビットｉの値がＲＲＣシグナリングのデータ複製初期状態に対する設定に基づいて決定したものである。
【手続補正１７】
【補正対象書類名】明細書
【補正対象項目名】００６５
【補正方法】変更
【補正の内容】
【００６５】
一実施例において、第１ネットワークノードからの制御情報を受信する方面では、前記プログラムは、具体的に、
前記第１ネットワークノードからのＭＡＣ  ＣＥを受信し、前記ＭＡＣ  ＣＥが制御情報を含むステップを実行するための命令を含む。
【手続補正１８】
【補正対象書類名】明細書
【補正対象項目名】００６７
【補正方法】変更
【補正の内容】
【００６７】
図５を参照して、図５は本願の実施例に係るネットワークノードを示す図であり、該装置は１つ又は複数のプロセッサ、１つ又は複数のメモリ、１つ又は複数の送受信機及び１つ又は複数のプログラムを備え、
前記１つ又は複数のプログラムは前記メモリに記憶され、且つ前記１つ又は複数のプロセッサにより実行されるように構成され、
前記プログラムは、
ユーザー装置へ制御情報を送信するステップを実行するための命令を含み、前記制御情報は前記ユーザー装置が設定ルールと組み合わせて前記ユーザー装置のデータ複製動作を決定することに用いられる。
【手続補正１９】
【補正対象書類名】明細書
【補正対象項目名】００７０
【補正方法】変更
【補正の内容】
【００７０】
図６を参照して、図６は本実施例に係るユーザー装置の構造模式図である。該ユーザー装置は処理ユニット６０１、通信ユニット６０２及び記憶ユニット６０３を備え、
前記処理ユニット６０１は、前記通信ユニット６０２によって第１ネットワークノードからの制御情報を受信することと、前記第１ネットワークノードの制御情報及び設定ルールに基づいて前記ユーザー装置のデータ複製動作を決定することとに用いられる。
【手続補正２０】
【補正対象書類名】明細書
【補正対象項目名】００７１
【補正方法】変更
【補正の内容】
【００７１】
一実施例において、制御情報が少なくとも１つのビットを含み、前記第１ネットワークノードの制御情報及び設定ルールに基づいて前記ユーザー装置のデータ複製動作を決定する方面では、前記処理ユニット６０１は、具体的に、
ビットｉの値を決定し、前記ビットｉが前記ユーザー装置の決定した第２ネットワークノードからの制御情報に含まれる少なくとも１つのビットのうちの１つであることと、
前記ビットｉの値、ビットｊの値及び設定されたマッピング関係に基づいて前記ユーザー装置のデータ複製動作を決定し、前記ビットｊが前記第１ネットワークノードの制御情報に含まれる少なくとも１つのビットのうちの１つであり、前記ビットｉ及び前記ビットｊは、前記ビットｉ及び前記ビットｊの制御情報における位置が同じであること、前記ビットｉ及び前記ビットｊの制御情報における位置が異なること、前記ビットｉ及び前記ビットｊが同じデータベアラに対応することのうちの少なくとも１つを満足することとに用いられる。
【手続補正２１】
【補正対象書類名】明細書
【補正対象項目名】００７２
【補正方法】変更
【補正の内容】
【００７２】
一実施例において、前記ビットｉの値が前記ビットｊの値に基づいて決定したものである。
【手続補正２２】
【補正対象書類名】明細書
【補正対象項目名】００７３
【補正方法】変更
【補正の内容】
【００７３】
一実施例において、前記ビットｉの値がＲＲＣシグナリングのデータ複製初期状態に対する設定に基づいて決定したものである。
【手続補正２３】
【補正対象書類名】明細書
【補正対象項目名】００７６
【補正方法】変更
【補正の内容】
【００７６】
一実施例において、第１ネットワークノードからの制御情報を受信する方面では、前記処理ユニット６０１は、具体的に、
前記第１ネットワークノードからのＭＡＣ  ＣＥを受信することに用いられ、前記ＭＡＣ  ＣＥが制御情報を含む。
【手続補正２４】
【補正対象書類名】明細書
【補正対象項目名】００７９
【補正方法】変更
【補正の内容】
【００７９】
図７に示すとおり、図７は本実施例に係るネットワークノードの構造模式図である。該ネットワークノードは処理ユニット７０１、通信ユニット７０２及び記憶ユニット７０３を備え、
前記処理ユニット７０１は、前記通信ユニット７０２によってユーザー装置へ制御情報を送信することに用いられ、前記制御情報は前記ユーザー装置が設定ルールと組み合わせて前記ユーザー装置のデータ複製動作を決定することに用いられる。
【手続補正２５】
【補正対象書類名】特許請求の範囲
【補正対象項目名】全文
【補正方法】変更
【補正の内容】
【特許請求の範囲】
【請求項１】
データ処理方法であって、
ユーザー装置が第１ネットワークノードからの制御情報を受信することと、
前記ユーザー装置が前記第１ネットワークノードの制御情報及び設定ルールに基づいて前記ユーザー装置のデータ複製動作を決定することと、を含むことを特徴とするデータ処理方法。
【請求項２】
前記制御情報が少なくとも１つのビットを含み、前記ユーザー装置が前記第１ネットワークノードの制御情報及び設定ルールに基づいて前記ユーザー装置のデータ複製動作を決定することは、
前記ユーザー装置がビットｉの値を決定し、前記ビットｉが前記ユーザー装置の決定した第２ネットワークノードからの制御情報に含まれる少なくとも１つのビットのうちの１つであることと、
前記ユーザー装置が前記ビットｉの値、ビットｊの値及び設定されたマッピング関係に基づいて前記ユーザー装置のデータ複製動作を決定し、前記ビットｊが前記第１ネットワークノードの制御情報に含まれる少なくとも１つのビットのうちの１つであり、前記ビットｉ及び前記ビットｊは、前記ビットｉ及び前記ビットｊの制御情報における位置が同じであること、前記ビットｉ及び前記ビットｊの制御情報における位置が異なること、前記ビットｉ及び前記ビットｊが同じデータベアラに対応することのうちの少なくとも１つを満足することと、を含むことを特徴とする請求項１に記載の方法。
【請求項３】
前記ビットｉの値が前記ビットｊの値に基づいて決定したものであることを特徴とする請求項２に記載の方法。
【請求項４】
前記ビットｉの値が無線リソース制御プロトコルＲＲＣシグナリングのデータ複製初期状態に対する設定に基づいて決定したものであることを特徴とする請求項２に記載の方法。
【請求項５】
前記制御情報が少なくとも１つのビットを含み、前記方法は、更に、
前記ユーザー装置が第２ネットワークノードからの制御情報を受信することを含み、
前記ユーザー装置が前記第１ネットワークノードの制御情報及び設定ルールに基づいて前記ユーザー装置のデータ複製動作を決定することは、
前記ユーザー装置がビットｘの値、ビットｙの値及び設定されたマッピング関係に基づいて前記ユーザー装置のデータ複製動作を決定することを含み、前記ビットｘが前記ユーザー装置の受信した前記第２ネットワークノードからの制御情報に含まれる少なくとも１つのビットのうちの１つであり、前記ビットｙが前記第１ネットワークノードの制御情報に含まれる少なくとも１つのビットのうちの１つであり、前記ビットｘ及び前記ビットｙは、前記ビットｘ及び前記ビットｙの制御情報における位置が同じであること、前記ビットｘ及び前記ビットｙの制御情報における位置が異なること、前記ビットｘ及び前記ビットｙが同じデータベアラに対応することのうちの少なくとも１つを満足することを特徴とする請求項１に記載の方法。
【請求項６】
前記設定されたマッピング関係は前記第１ネットワークノードの制御情報に含まれる１つのビットの値、前記第２ネットワークノードの制御情報に含まれる１つのビットの値及びユーザー装置のデータ複製動作のマッピング関係であることを特徴とする請求項２〜５のいずれか１項に記載の方法。
【請求項７】
前記設定されたマッピング関係は、前記第１ネットワークノードの制御情報に含まれる１つのビットの値、前記第２ネットワークノードの制御情報に含まれる１つのビットの値及びデータベアラのデータ複製動作のマッピング関係であることを特徴とする請求項２〜５のいずれか１項に記載の方法。
【請求項８】
前記ユーザー装置が第１ネットワークノードからの制御情報を受信することは、
前記ユーザー装置が前記第１ネットワークノードからのＭＡＣ  ＣＥを受信することを含み、前記ＭＡＣ  ＣＥが制御情報を含むことを特徴とする請求項１〜６のいずれか１項に記載の方法。
【請求項９】
ユーザー装置であって、
処理ユニット及び通信ユニットを備え、
前記処理ユニットは、前記通信ユニットによって第１ネットワークノードからの制御情報を受信することと、前記第１ネットワークノードの制御情報及び設定ルールに基づいて前記ユーザー装置のデータ複製動作を決定することとに用いられることを特徴とするユーザー装置。
【請求項１０】
前記制御情報が少なくとも１つのビットを含み、前記処理ユニットは、具体的に、
ビットｉの値を決定し、前記ビットｉが前記ユーザー装置の決定した第２ネットワークノードからの制御情報に含まれる少なくとも１つのビットのうちの１つであることと、
前記ビットｉの値、ビットｊの値及び設定されたマッピング関係に基づいて前記ユーザー装置のデータ複製動作を決定し、前記ビットｊが前記第１ネットワークノードの制御情報に含まれる少なくとも１つのビットのうちの１つであり、前記ビットｉ及び前記ビットｊは、前記ビットｉ及び前記ビットｊの制御情報における位置が同じであること、前記ビットｉ及び前記ビットｊの制御情報における位置が異なること、前記ビットｉ及び前記ビットｊが同じデータベアラに対応することのうちの少なくとも１つを満足することとに用いられることを特徴とする請求項９に記載のユーザー装置。
【請求項１１】
前記ビットｉの値が前記ビットｊの値に基づいて決定したものであることを特徴とする請求項１０に記載のユーザー装置。
【請求項１２】
前記ビットｉの値が無線リソース制御プロトコルＲＲＣシグナリングのデータ複製初期状態に対する設定に基づいて決定したものであることを特徴とする請求項１１に記載のユーザー装置。
【請求項１３】
前記制御情報が少なくとも１つのビットを含み、
前記処理ユニットは、更に、前記通信ユニットによって第２ネットワークノードからの制御情報を受信することに用いられ、
前記第１ネットワークノードの制御情報及び設定ルールに基づいて前記ユーザー装置のデータ複製動作を決定する方面では、前記処理ユニットは、具体的に、
ビットｘの値、ビットｙの値及び設定されたマッピング関係に基づいて前記ユーザー装置のデータ複製動作を決定することに用いられ、前記ビットｘが前記ユーザー装置の受信した前記第２ネットワークノードからの制御情報に含まれる少なくとも１つのビットのうちの１つであり、前記ビットｙが前記第１ネットワークノードの制御情報に含まれる少なくとも１つのビットのうちの１つであり、前記ビットｘ及び前記ビットｙは、前記ビットｘ及び前記ビットｙの制御情報における位置が同じであること、前記ビットｘ及び前記ビットｙの制御情報における位置が異なること、前記ビットｘ及び前記ビットｙが同じデータベアラに対応することのうちの少なくとも１つを満足することを特徴とする請求項９に記載のユーザー装置。
【請求項１４】
ネットワークノードであって、
処理ユニット及び通信ユニットを備え、
前記処理ユニットは前記通信ユニットによってユーザー装置へ制御情報を送信することに用いられ、前記制御情報は前記ユーザー装置が設定ルールと組み合わせて前記ユーザー装置のデータ複製動作を決定することに用いられることを特徴とするネットワークノード。
【請求項１５】
ユーザー装置であって、
１つ又は複数のプロセッサ、１つ又は複数のメモリ、１つ又は複数の送受信機及び１つ又は複数のプログラムを備え、前記１つ又は複数のプログラムは前記メモリに記憶され、且つ前記１つ又は複数のプロセッサにより実行されるように構成され、前記プログラムは請求項１〜８のいずれか１項に記載の方法のステップを実行するための命令を含むことを特徴とするユーザー装置。